(57)【要約】【課題】ＧＰＳシステムを用いず、また、基地局識別番号を送出する既設の基地局を変更せずに、移動通信端末装置に付加されたカメラのフリッカ制御を自動設定可能とする。【解決手段】カメラ付き携帯電話装置１０は、通信可能な最寄の基地局２０から基地局識別番号（ＣＳＩＤ）を受信する。携帯電話装置は、ネットワーク４０に接続された位置情報サーバ５０にアクセスし、受信したＣＳＩＤを含む周波数情報要求メッセージを送信する。位置情報サーバは、ＣＳＩＤと、商用交流電源の周波数との対応を示す周波数情報データベース５１を有している。位置情報サーバは、周波数情報要求メッセージを受信すると、ＣＳＩＤを抽出して周波数情報データベースを検索し、対応する電源周波数情報を返送する。携帯電話装置は、受信した電源周波数情報に基づいて、カメラの撮像素子の電荷蓄積時間を制御する。【選択図】      図１
2006094370.tif 000002
【特許請求の範囲】
【請求項１】
カメラを装備し、移動通信システムの基地局と通信可能な移動通信端末装置において、
自装置が存在する場所に対応した基地局から、当該基地局に割り当てられた固有の基地局識別番号を受信する手段と、
前記受信した基地局識別番号を含む周波数情報要求情報を作成する手段と、
前記作成した周波数情報要求情報を、移動通信システムを介して周波数情報提供装置に送信し、前記周波数情報提供装置から、前記送信した周波数情報要求情報に含まれる基地局識別番号が割り当てられた基地局の存在する場所に対応した商用交流電源の周波数情報の返信を受ける手段と、
前記返信された周波数情報に基づいて、前記カメラのフリッカ制御を行う手段とを有することを特徴とするカメラ付き移動通信端末装置。
【請求項２】
前記周波数情報提供装置へ送信した前記周波数情報要求情報に含まれる基地局識別番号と、当該周波数情報要求情報に応じて前記周波数情報提供装置から返信された周波数情報とを対応付けて記憶する周波数情報記憶手段を有し、
前記基地局から前記基地局識別番号を受信した際、当該基地局識別番号が前記周波数情報記憶手段に記憶されているか判定し、記憶されていれば、前記周波数情報要求情報の作成、及び前記周波数情報提供装置への送信を行うことなく、当該基地局識別番号に対応付けて記憶されている周波数情報に基づいて、前記カメラのフリッカ制御を行うことを特徴とする請求項１記載のカメラ付き移動通信端末装置。
【請求項３】
前記周波数情報提供装置から前記周波数情報要求情報に対する返信を受けた際、当該周波数情報要求情報中の基地局識別番号に対応する基地局の近隣の基地局ごとの基地局識別番号及び周波数情報も合わせて返信された場合は、当該近隣の基地局ごとの基地局識別番号及び周波数情報も前記周波数情報記憶手段に記憶することを特徴とする請求項２記載のカメラ付き移動通信端末装置。
【請求項４】
移動通信システムの基地局ごとの、基地局に割り当てられた固有の基地局識別番号と、当該基地局の存在する場所に対応した商用交流電源の周波数情報とをあらかじめ対応付けて登録した周波数情報データベースを有し、前記移動通信システムに収容され、他の装置から周波数情報要求情報を受信すると、当該周波数情報要求情報中の基地局識別番号を抽出し、当該基地局識別番号により前記周波数情報データベースを検索して当該基地局識別番号に対応付けられた周波数情報を読み出し、当該読み出した周波数情報を前記他の装置へ返信することを特徴とする周波数情報提供装置。
【請求項５】
移動通信システムの基地局ごとの、基地局に割り当てられた固有の基地局識別番号と、当該基地局の存在する場所と、当該基地局の存在する場所に対応した商用交流電源の周波数情報とをあらかじめ対応付けて登録した周波数情報データベースを有し、前記移動通信システムに収容され、他の装置から周波数情報要求情報を受信すると、当該周波数情報要求情報中の基地局識別番号を抽出し、当該基地局識別番号により前記周波数情報データベースを検索して当該基地局識別番号に対応付けられた周波数情報及び基地局の存在する場所を読み出し、当該基地局の存在する場所より前記周波数情報データベースを検索して近隣の基地局を認識し、前記周波数情報データベースから前記近隣の基地局ごとの基地局識別番号及び周波数情報を読み出し、前記周波数情報要求情報中の基地局識別番号に対応した周波数情報と、前記近隣の基地局ごとの基地局識別番号及び周波数情報とを前記他の装置へ返信することを特徴とする周波数情報提供装置。
【請求項６】
互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、
前記複数の基地局の無線エリアを任意に移動可能な請求項１記載のカメラ付き移動通信端末装置と、
前記ネットワークに収容された請求項４記載の周波数情報提供装置とを備えたことを特徴とするフリッカ制御システム。
【請求項７】
互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、
前記複数の基地局の無線エリアを任意に移動可能な請求項２記載のカメラ付き移動通信端末装置と、
前記ネットワークに収容された請求項４記載の周波数情報提供装置とを備えたことを特徴とするフリッカ制御システム。
【請求項８】
互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、
前記複数の基地局の無線エリアを任意に移動可能な請求項３記載のカメラ付き移動通信端末装置と、
前記ネットワークに収容された請求項５記載の周波数情報提供装置とを備えたことを特徴とするフリッカ制御システム。
【請求項９】
互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、カメラを装備し、前記複数の基地局の無線エリアを任意に移動可能な移動通信端末装置と、前記ネットワークに収容された周波数情報提供装置とを備えたフリッカ制御システムにおける、前記移動通信端末装置のカメラのフリッカ制御方法であり、
前記移動通信端末装置で、自装置が存在する場所に対応した基地局から、当該基地局に割り当てられた固有の基地局識別番号を受信し、
前記受信した基地局識別番号を含む周波数情報要求情報を作成し、前記移動通信システムを介して前記周波数情報提供装置に送信し、
周波数情報提供装置で、受信した周波数情報要求情報中の基地局識別番号により、基地局に割り当てられた固有の基地局識別番号と、基地局の存在する場所に対応した商用交流電源の周波数情報とをあらかじめ対応付けて登録した周波数情報データベースを検索し、当該基地局識別番号に対応付けられた周波数情報を読み出し、
当該読み出した周波数情報を前記移動通信端末装置へ返信し、
前記移動通信端末装置で、前記周波数情報提供装置から返信された周波数情報に基づいて、前記カメラのフリッカ制御を行うことを特徴とするフリッカ制御方法。
【請求項１０】
前記移動通信端末装置で、周波数情報要求情報の送信に応じて前記周波数情報提供装置から返信された周波数情報を、当該周波数情報要求情報中の基地局識別番号と対応付けて周波数情報記憶手段に記憶し、
前記基地局から前記基地局識別番号を受信した際、当該基地局識別番号が前記周波数情報記憶手段に記憶されているか判定し、
記憶されていれば、前記周波数情報要求情報の作成、及び前記周波数情報提供装置への送信を行うことなく、当該基地局識別番号に対応付けて記憶されている周波数情報に基づいて、前記カメラのフリッカ制御を行うことを特徴とする請求項９記載のフリッカ制御方法。
【請求項１１】
前記周波数情報提供装置で、受信した周波数情報要求情報中の基地局識別番号により周波数情報データベースを検索した際、あらかじめ登録されている当該基地局識別番号に対応付けられた周波数情報及び基地局の存在する場所を読み出し、当該基地局の存在する場所より前記周波数情報データベースを検索して近隣の基地局を認識し、前記周波数情報データベースからあらかじめ登録されている前記近隣の基地局ごとの基地局識別番号及び周波数情報を読み出し、前記周波数情報要求情報中の基地局識別番号に対応した周波数情報と、前記近隣の基地局ごとの基地局識別番号及び周波数情報とを前記前記移動通信端末装置へ返信し、
前記移動通信端末装置で、前記周波数情報提供装置から前記周波数情報要求情報に対する返信を受けた際、当該周波数情報要求情報中の基地局識別番号に対応する基地局の近隣の基地局ごとの基地局識別番号及び周波数情報も合わせて返信された場合は、当該近隣の基地局ごとの基地局識別番号及び周波数情報も前記周波数情報記憶手段に記憶することを特徴とする請求項１０記載のフリッカ制御方法。
【発明の詳細な説明】
【技術分野】
【０００１】
本発明は、移動通信システムに用いられるカメラを装備した移動通信端末装置と、移動通信端末装置に存在場所に応じた商用交流電源の周波数情報を提供する周波数情報提供装置と、これら装置を用いたカメラのフリッカ制御を行うフリッカ制御システムと、そのフリッカ制御方法とに関する。
【背景技術】
【０００２】
携帯電話装置等の移動通信端末装置にカメラ機能を付加したカメラ付き移動通信端端末装置が提供されている。このカメラは、撮像素子として通常、複数の走査ラインで構成されるＣＣＤセンサやＣＭＯＳセンサ等の光電変換素子を用いている。カメラによる静止画像や動画像（映像）の撮影は、ＣＣＤセンサ等の撮像素子に、光電変換の電荷蓄積時間を、１回分あるいは所定周期で所定回数分設定することにより行われる。ただし、撮像素子は、その走査ライン位置に応じて、蓄積を開始するタイミングにずれを生じている。各走査ライン順に、電荷蓄積時間経過後、蓄積電荷量を読み出すことにより、デジタルの画像（映像）信号を得ることができる。
【０００３】
ここでカメラの撮影対象（被写体）に、照度が一定周期で変動する光が照射されている場合、撮像画像がその明暗を一定周期で繰り返すことになる。照射光の照度が一定周期で繰り返される原因としては、商用交流電源により点灯されている照明器具、例えば蛍光灯を使用していることが挙げられる。蛍光灯は、電源周波数の各サイクルに照度（光度）変化を２回分起こす。従って、商用交流電源の周波数をｆＨｚとすると、照度変動（画像の明暗変動）は、２倍の周波数に相当する周期１／２ｆｓで繰り返されることになる。すなわち、５０Ｈｚの場合は１／１００ｓ、６０Ｈｚの場合は１／１２０ｓの周期となる。
【０００４】
上述したように撮像素子の走査ライン位置により蓄積開始タイミングがずれているので、照射光の照度変動による撮像画像の明暗変動への影響は、走査ライン位置及び蓄積時間によって異なる。蓄積時間が照度変動周期の整数倍となっていれば、走査ライン位置が異なっても、蓄積される光電変換量は一定であるので、明暗変動が均一化される。しかし蓄積時間が照度変動周期の整数倍でない場合には、走査ライン位置が異なると、光電変換量が違ってしまい、明暗変動が均一化されず、濃淡の点滅が発生する。これをフリッカと定義している（特許文献１の図８，９参照）。
【０００５】
このフリッカが発生すれば、本来の撮像画像が見えにくくなるため、フリッカを抑制することが重要となる。フリッカを抑制するためには、撮像素子の蓄積時間を画像の明暗の周期（１／１００ｓまたは１／１２０ｓ）の整数倍（ｍ／１００ｓまたはｎ／１２０ｓ）にする技術が知られている。そのためには、画像の明暗の周期を検知する必要がある。
【０００６】
フリッカ（及びその周期）を検出する方法としては、撮像画像（映像）における濃淡の点滅を検出する方法がある。しかしこの方法では、本来の画像変化と、フリッカとの区別が付け難く、微小な変化にはついていけず、誤認識してしまう虞がある。
【０００７】
ところで、商用交流電源周波数は地域によって固定のため、現在位置情報を取得できれば、撮像素子の蓄積時間の切り替え制御は容易に行える。このため、何らかの手段により現在位置情報を取得し、対応する商用交流電源の周波数情報を求める技術が色々と提案されている。
【０００８】
例えば、ＧＰＳ（Ｇｌｏｂａｌ  Ｐｏｓｉｔｉｏｎｉｎｇ  Ｓｙｓｔｅｍ：全地球測位システム）を利用して現在位置情報を取得し、商用電源周波数を判定してフリッカを抑制する技術が提案されている。図５にその技術を用いたカメラ付き移動通信端末装置（携帯電話装置）の１例を示す（特許文献１参照）。
【０００９】
図５において、ＣＰＵ制御部６０７は、ＧＰＳアンテナ６１０及びＧＰＳ制御部６０９より、携帯電話装置の現在位置の緯度／経度データを取得する。メモリ６０７Ｍは、実際の商用電源周波数の境界線でモデル化して成る境界線上の任意の個数のポイントの緯度／経度データをテーブルとして保有している。ＣＰＵ制御部６０７は、入力されたデータとテーブル内のデータとを参照／比較して、端末装置が使用されている地域の商用電源周波数を判定する。ＣＰＵ制御部６０７は、周波数の判定結果に基づいて、その２倍の周波数の周期の整数倍の時間をカメラ６０１の撮像素子の蓄積時間に設定する。
【００１０】
しかし、移動通信端末装置に、ＧＰＳアンテナやＧＰＳ制御部等のＧＰＳ関連器具、回路を搭載すると、重量の増大、コストアップ、消費電力の増大につながる。このため、ＧＰＳシステムを用いずに、移動通信システムの基地局から得られる基地局の位置に対応した情報に基づいて、移動通信端末装置の現在位置における商用電源周波数を求める技術が、各種提案されている。
【００１１】
例えば、特許文献２には、移動通信端末装置が、基地局から位置情報として基地局識別番号（ＣＳＩＤ）を受信し、予め記憶しておいたＣＳＩＤと商用電源周波数との対応情報を参照して、商用電源周波数を判定する技術が記載されている。
【００１２】
また、特許文献３には、移動通信端末装置が、基地局から位置情報として基地局識別番号（ＣＳＩＤ）を受信し、ＣＳＩＤ中の特定ビットの値で商用電源周波数を判定する技術が記載されている。
【００１３】
さらに、特許文献４には、移動通信端末装置が、基地局から周波数情報を直接受信する技術が記載されている。
【００１４】
【特許文献１】特開２００３−６０９８４号公報（第２〜３頁、図１，８，９）
【特許文献２】特開２００３−３７７７４号公報（第２〜４頁、図１）
【特許文献３】特開２００２−３７４４５６号公報（第２，５頁、図１）
【特許文献４】特開２００３−２５９１７８号公報（第２，５頁、図１）
【発明の開示】
【発明が解決しようとする課題】
【００１５】
上述した従来の、移動通信システムの基地局から得られる基地局の位置に対応した情報に基づいて、商用電源周波数を求める技術（特許文献２〜４記載技術）では、次のような問題がある。
【００１６】
特許文献２記載技術では、移動通信端末装置に、基地局識別番号（ＣＳＩＤ）と商用電源周波数との対応情報を、予め記憶しておく必要がある。このため、移動通信端末装置の利用者、あるいは製造事業者が、予めどのようにして、ＣＳＩＤと商用電源周波数との対応情報を取得し、移動通信端末装置に記憶させておくかの課題が残る。
【００１７】
特許文献３記載技術では、基地局識別番号（ＣＳＩＤ）の特定ビットに商用電源周波数を示す値を予め設定しておく必要がある。このため、この規則によらないＣＳＩＤを割り当てられた基地局を設置済みである既設の移動通信システムには、本技術を適用することができない。また、ＣＳＩＤの番号体系に制約を与えることになる。
【００１８】
特許文献４記載技術では、全ての基地局が周波数情報を持つ必要がある。このため、周波数情報を持たない基地局を設置済みである既設の移動通信システムには、本技術を適用することができない。
【００１９】
本発明の目的は、ＧＰＳシステムを用いる必要がなく、且つ、位置情報として基地局識別番号（ＣＳＩＤ）を送出する既設の基地局を変更する必要がなく、カメラのフリッカ制御を自動設定可能とした、カメラ付き移動通信端末装置と、それを用いたフリッカ制御システムと、そのフリッカ制御方法とを提供することにある。
【課題を解決するための手段】
【００２０】
本発明の請求項１に係るカメラ付き移動通信端末装置は、カメラを装備し、移動通信システムの基地局と通信可能な移動通信端末装置において、自装置が存在する場所に対応した基地局から、当該基地局に割り当てられた固有の基地局識別番号を受信する手段と、前記受信した基地局識別番号を含む周波数情報要求情報を作成する手段と、前記作成した周波数情報要求情報を、移動通信システムを介して周波数情報提供装置に送信し、前記周波数情報提供装置から、前記送信した周波数情報要求情報に含まれる基地局識別番号が割り当てられた基地局の存在する場所に対応した商用交流電源の周波数情報の返信を受ける手段と、前記返信された周波数情報に基づいて、前記カメラのフリッカ制御を行う手段とを有する。
【００２１】
本発明の請求項２に係るカメラ付き移動通信端末装置は、請求項１に係るカメラ付き移動通信端末装置において、前記周波数情報提供装置へ送信した前記周波数情報要求情報に含まれる基地局識別番号と、当該周波数情報要求情報に応じて前記周波数情報提供装置から返信された周波数情報とを対応付けて記憶する周波数情報記憶手段を有し、前記基地局から前記基地局識別番号を受信した際、当該基地局識別番号が前記周波数情報記憶手段に記憶されているか判定し、記憶されていれば、前記周波数情報要求情報の作成、及び前記周波数情報提供装置への送信を行うことなく、当該基地局識別番号に対応付けて記憶されている周波数情報に基づいて、前記カメラのフリッカ制御を行う構成を有する。
【００２２】
本発明の請求項３に係るカメラ付き移動通信端末装置は、請求項２に係るカメラ付き移動通信端末装置において、前記周波数情報提供装置から前記周波数情報要求情報に対する返信を受けた際、当該周波数情報要求情報中の基地局識別番号に対応する基地局の近隣の基地局ごとの基地局識別番号及び周波数情報も合わせて返信された場合は、当該近隣の基地局ごとの基地局識別番号及び周波数情報も前記周波数情報記憶手段に記憶する構成を有する。
【００２３】
本発明の請求項４に係る周波数情報提供装置は、移動通信システムの基地局ごとの、基地局に割り当てられた固有の基地局識別番号と、当該基地局の存在する場所に対応した商用交流電源の周波数情報とをあらかじめ対応付けて登録した周波数情報データベースを有し、前記移動通信システムに収容され、他の装置から周波数情報要求情報を受信すると、当該周波数情報要求情報中の基地局識別番号を抽出し、当該基地局識別番号により前記周波数情報データベースを検索して当該基地局識別番号に対応付けられた周波数情報を読み出し、当該読み出した周波数情報を前記他の装置へ返信する構成を有する。
【００２４】
本発明の請求項５に係る周波数情報提供装置は、移動通信システムの基地局ごとの、基地局に割り当てられた固有の基地局識別番号と、当該基地局の存在する場所と、当該基地局の存在する場所に対応した商用交流電源の周波数情報とをあらかじめ対応付けて登録した周波数情報データベースを有し、前記移動通信システムに収容され、他の装置から周波数情報要求情報を受信すると、当該周波数情報要求情報中の基地局識別番号を抽出し、当該基地局識別番号により前記周波数情報データベースを検索して当該基地局識別番号に対応付けられた周波数情報及び基地局の存在する場所を読み出し、当該基地局の存在する場所より前記周波数情報データベースを検索して近隣の基地局を認識し、前記周波数情報データベースから前記近隣の基地局ごとの基地局識別番号及び周波数情報を読み出し、前記周波数情報要求情報中の基地局識別番号に対応した周波数情報と、前記近隣の基地局ごとの基地局識別番号及び周波数情報とを前記他の装置へ返信する構成を有する。
【００２５】
本発明の請求項６に係るフリッカ制御システムは、互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、前記複数の基地局の無線エリアを任意に移動可能な請求項１に係るカメラ付き移動通信端末装置と、前記ネットワークに収容された請求項４に係る周波数情報提供装置とを備える。
【００２６】
本発明の請求項７に係るフリッカ制御システムは、互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、前記複数の基地局の無線エリアを任意に移動可能な請求項２に係るカメラ付き移動通信端末装置と、前記ネットワークに収容された請求項４に係る周波数情報提供装置とを備える。
【００２７】
本発明の請求項８に係るフリッカ制御システムは、互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、前記複数の基地局の無線エリアを任意に移動可能な請求項３に係るカメラ付き移動通信端末装置と、前記ネットワークに収容された請求項５に係る周波数情報提供装置とを備える。
【００２８】
本発明の請求項９に係るフリッカ制御方法は、互いに異なる場所に設置されるとともに、設置場所に応じた固有の基地局識別番号をそれぞれ割り当てられ、移動通信端末装置との通信が可能な複数の基地局と、前記複数の基地局を収容するネットワークとを有する移動通信システムと、カメラを装備し、前記複数の基地局の無線エリアを任意に移動可能な移動通信端末装置と、前記ネットワークに収容された周波数情報提供装置とを備えたフリッカ制御システムにおける、前記移動通信端末装置のカメラのフリッカ制御方法であり、前記移動通信端末装置で、自装置が存在する場所に対応した基地局から、当該基地局に割り当てられた固有の基地局識別番号を受信し、前記受信した基地局識別番号を含む周波数情報要求情報を作成し、前記移動通信システムを介して前記周波数情報提供装置に送信し、周波数情報提供装置で、受信した周波数情報要求情報中の基地局識別番号により、基地局に割り当てられた固有の基地局識別番号と、基地局の存在する場所に対応した商用交流電源の周波数情報とをあらかじめ対応付けて登録した周波数情報データベースを検索し、当該基地局識別番号に対応付けられた周波数情報を読み出し、当該読み出した周波数情報を前記移動通信端末装置へ返信し、前記移動通信端末装置で、前記周波数情報提供装置から返信された周波数情報に基づいて、前記カメラのフリッカ制御を行う工程を有する。
【００２９】
本発明の請求項１０に係るフリッカ制御方法は、請求項９に係るフリッカ制御方法において、前記移動通信端末装置で、周波数情報要求情報の送信に応じて前記周波数情報提供装置から返信された周波数情報を、当該周波数情報要求情報中の基地局識別番号と対応付けて周波数情報記憶手段に記憶し、前記基地局から前記基地局識別番号を受信した際、当該基地局識別番号が前記周波数情報記憶手段に記憶されているか判定し、記憶されていれば、前記周波数情報要求情報の作成、及び前記周波数情報提供装置への送信を行うことなく、当該基地局識別番号に対応付けて記憶されている周波数情報に基づいて、前記カメラのフリッカ制御を行う工程を有する。
【００３０】
本発明の請求項１１に係るフリッカ制御方法は、請求項１０に係るフリッカ制御方法において、前記周波数情報提供装置で、受信した周波数情報要求情報中の基地局識別番号により周波数情報データベースを検索した際、あらかじめ登録されている当該基地局識別番号に対応付けられた周波数情報及び基地局の存在する場所を読み出し、当該基地局の存在する場所より前記周波数情報データベースを検索して近隣の基地局を認識し、前記周波数情報データベースからあらかじめ登録されている前記近隣の基地局ごとの基地局識別番号及び周波数情報を読み出し、前記周波数情報要求情報中の基地局識別番号に対応した周波数情報と、前記近隣の基地局ごとの基地局識別番号及び周波数情報とを前記移動通信端末装置へ返信し、前記移動通信端末装置で、前記周波数情報提供装置から前記周波数情報要求情報に対する返信を受けた際、当該周波数情報要求情報中の基地局識別番号に対応する基地局の近隣の基地局ごとの基地局識別番号及び周波数情報も合わせて返信された場合は、当該近隣の基地局ごとの基地局識別番号及び周波数情報も前記周波数情報記憶手段に記憶する工程を有する。
【発明の効果】
【００３１】
本発明のカメラ付き移動通信端末装置は、自装置の存在する場所にも最も近い基地局の位置情報である基地局識別番号を取得し、ネットワークを通じて位置情報サーバに対応する商用交流電源の周波数を問い合わせる。カメラ付き移動通信端末装置は、位置情報サーバから回答された周波数情報に基づいてカメラのフリッカ制御を自動設定する。このように本発明によれば、ＧＰＳシステムを用いる必要がなく、且つ、位置情報として基地局識別番号（ＣＳＩＤ）を送出する既設の基地局を変更する必要がなく、カメラのフリッカ制御を自動設定することができる。
【発明を実施するための最良の形態】
【００３２】
まず、本発明の概要を説明する。本発明は、カメラを装備した携帯電話装置等の移動通信端末装置における、商用交流電源周波数による照明の点滅により発生する撮影画像の点滅（フリッカ）を抑制するためのものである。本発明では、撮影している場所の位置を、移動通信端末装置と通信管理で繋いでいる基地局の情報を用いて特定し、その位置情報から電源周波数を判定することにより、ユーザが操作することなく、フリッカを抑制する。
【００３３】
具体的に説明する。移動通信システムの移動通信端末装置のカメラは、ＣＣＤセンサやＣＭＯＳセンサ等の複数の走査ラインで構成される光電変換素子（撮像素子）を備えている。移動通信端末装置が、基地局を介して通信可能状態である時、当該基地局の位置情報である基地局識別番号（ＣＳＩＤ）を受信する。移動通信端末装置は、移動通信システムのネットワークに接続された位置情報サーバ（周波数情報提供装置）にアクセスし、周波数情報要求情報により受信したＣＳＩＤを送信する。
【００３４】
位置情報サーバは、ＣＳＩＤと、当該ＣＳＩＤの基地局の所在位置における商用交流電源の周波数との対応を示す周波数情報データベースを有している。位置情報サーバは、移動通信端末装置から周波数情報要求情報を受信すると、ＣＳＩＤを抽出して周波数情報データベースを検索し、対応する電源周波数情報を返送する。
【００３５】
移動通信端末装置は、位置情報サーバから受信した電源周波数情報に基づいて、カメラ（その撮像素子）の電荷蓄積時間を制御することにより、フリッカを抑制する。すなわち、撮像素子の蓄積時間として、電源周波数（ｆＨｚ）の周期の１／２に当たる時間（１／２ｆｓ）の整数倍の時間を設定する。通常、商用交流電源周波数としては、５０Ｈｚ、あるいは６０Ｈｚを用いるが、他の周波数を用いた場合でも本発明を適用できる。
【００３６】
次に、本発明の実施例について図面を参照して詳細に説明する。
【実施例１】
【００３７】
図１は、本発明の第１の実施例（実施例１）を示すシステム構成図である。図１において、本例のフリッカ制御システムは、移動通信システムに適用され、携帯電話装置１０と、基地局２０と、基地局制御装置３０と、ネットワーク４０と、位置情報サーバ（周波数情報提供装置）５０とを備えている。なお、携帯電話装置１０、基地局２０、及び基地局制御装置３０はそれぞれ、複数設けることができる。
【００３８】
携帯電話装置１０は、ユーザに携帯されて移動通信システムのサービスエリア内を任意に移動可能な移動通信端末装置であり、携帯電話機能の他にデジタルカメラ機能を備えている。
【００３９】
この携帯電話装置１０は、中央制御部１１と、送受信部１２と、カメラ制御部１３と、カメラ１４と、画像処理部１５と、表示部１６と、データメモリ部１７と、計時部１８と、キー操作部１９とを備えて構成されている。携帯電話装置１０は、上記回路の他に、電源回路や、音声信号処理回路等の電話通信を行うために必要な回路を備えているが、本発明に直接関係ないため、図示及び説明を省略する。
【００４０】
中央制御部１１は、内蔵するプログラムにより、全体（携帯電話装置内各部）の制御を行う。中央制御部１１が処理するデータは、データメモリ部１７に格納される。このデータメモリ部１７には、位置情報サーバ５０などの通信相手先のネットワーク４０上のアドレス（番号）を登録した電話帳なども格納可能である。
【００４１】
送受信部１２は、アンテナ１２１を介して基地局２０との間で無線通信を行い、基地局制御装置３０の制御の下、ネットワーク４０等を介した通信相手先との通信を行う。なお、位置情報サーバ５０に対しては、そのアドレス（番号）があらかじめ設定されているため、自動発信が可能である。アンテナ１２１は、携帯電話装置１０と基地局２０間の電波送信を効率良く行うための内蔵又は伸縮式のものである。
【００４２】
送受信部１２は、ローカル発振手段、変調手段、復調手段を有している。送受信部１２は、アンテナ１２１を介して受信された基地局２０からの無線周波数信号を、ローカル発振周波数信号によりベースバンド信号に復調し、この復調された信号を中央制御部１１へ出力する。送受信部１２はまた、中央制御部１１から出力されるベースバンド信号を、ローカル発振周波数信号により無線周波数信号に変調したのち、アンテナ１２１を介して基地局２０に送信する。
【００４３】
キー操作部１９は、数字キー、記号等のファンクションキー等を有し、発着呼の操作、電話番号の登録操作、カメラ撮影の指示等、ユーザによる文字や数字、指示情報などの入力操作を受け付ける。その操作により生成される信号は、中央制御部１１へ出力される。
【００４４】
カメラ制御部１３は、中央制御部１１からの各種信号に基づいて、カメラ１４の動作を制御する。この信号としては、例えば、カメラ撮影機能を有効とする命令信号、フリッカ抑制切り替え信号がある。フリッカ抑制切り替え信号には、商用交流電源の周波数情報（５０Ｈｚ、あるいは６０Ｈｚ）が含まれる。カメラ制御部１３は、周波数情報に基づいて、カメラ１４の撮像素子の蓄積時間を制御する。蓄積時間としては、電源周波数の周期の１／２に当たる時間の整数倍の時間が設定される。
【００４５】
カメラ１４は、本例では、撮像素子としてＣＣＤセンサを用いている。カメラ１４は、撮像した被写体画像（映像）を光電変換し、画像データを生成して画像処理部１５へ出力する。カメラ１４は、カメラ制御部１３の制御の下、撮像素子の蓄積時間を設定する。
【００４６】
画像処理部１５は、カメラ１４からの画像データに色処理、画角変更を行い、表示部１６に表示可能な画像データに加工する。画像処理部１５は、加工した画像データを中央制御部１１経由でデータメモリ部１７に格納する。
【００４７】
データメモリ部１７は、中央制御部１１の制御の下、電話番号，電話先の名前，名称，及び文字等のテキストデータや、画像データを記憶する。
【００４８】
表示部１６は、ＬＣＤ（液晶ディスプレイ）等のユーザへの情報の可視表示を行うディスプレイを有している。表示部１６は、中央制御部１１からの表示命令に応じて、データメモリ部１７に記憶された画像データ、電話番号又はテキストデータ等を表示する。
【００４９】
計時部１８は、クロック信号を生成し携帯電話装置内各部に供給するとともに、クロック信号に基づいて計時を行う。
【００５０】
基地局２０は、基地局制御装置３０の制御の下、アンテナ２１を介して、自局無線エリア（セル）内に位置する携帯電話装置１０との間で無線通信を行う。
【００５１】
基地局制御装置３０は、ネットワーク４０に接続しており、携帯電話装置１０と、その通信相手先との間を、基地局２０及びネットワーク４０を介して接続し、相互通信可能とする。
【００５２】
ネットワーク４０は、移動通信システムのコアネットワークや、公衆データ網や、インターネット等の各種ネットワークを含むことができる。
【００５３】
なお、１つの基地局２０は、その無線サービスエリア（セル）内で、複数の携帯電話装置１０を収容することができる。また、１つの基地局制御装置３０は、周辺の複数の基地局２０を収容することができる。この基地局制御装置３０は、収容する基地局２０の数が大きくなったり、距離が遠くなったりする場合は、負荷分散のために複数設けることができる。
【００５４】
各基地局２０は、その設置位置に応じた固有の情報（位置情報：基地局識別番号）をそれぞれ割り当てられている。この基地局識別番号（ＣＳＩＤ）は、例えば、設置場所の都道府県識別子、ネットワークの収容交換局番号、交換局内個別番号、基地局タイプ等で構成されている。
【００５５】
各基地局２０は、基地局識別番号（ＣＳＩＤ）を含む信号を、所定タイミングごとに送信している。携帯電話装置１０は、自装置の存在するセルごとに、該当する基地局２０のＣＳＩＤを受信することができる。
【００５６】
位置情報サーバ５０は、周波数情報データベース５１を有し、ネットワーク４０に収容されている。位置情報サーバ５０は、ネットワーク４０における固有のアドレス（番号）を割り当てられている。周波数情報データベース５１は、各基地局２０の基地局識別番号（ＣＳＩＤ）と、当該ＣＳＩＤの基地局の設置場所における商用交流電源周波数との対応情報を、全基地局分登録して構成されている。
【００５７】
位置情報サーバ５０は、ネットワーク４０、基地局制御装置３０、及び基地局２０を介して接続された携帯電話装置１０から、周波数情報の要求とともにＣＳＩＤを受信すると、周波数情報データベース５１を検索し、対応する電源周波数情報を返送する。
【００５８】
次に、図１とともに、図２、及び図３を参照して本実施例１の動作を説明する。
【００５９】
まずユーザは、携帯電話装置１０の電源を投入（ＯＮ）し、起動を行う（図２のステップＳ１１）。この時、携帯電話装置１０は、基地局２０と無線通信できるように自装置の初期化を行い通信可能状態にする。
【００６０】
携帯電話装置１０は、通信可能状態になると、無線通信を行う基地局２０から基地局識別番号（ＣＳＩＤ）を収集する（ステップＳ１２）。
【００６１】
例えば図３に示すように、携帯電話装置１０が、複数（ａ〜ｃ）ある基地局２０（２０−１〜２０−３）のうち、基地局（ａ）２０−１のセル（無線エリア）範囲内２２−１にあるとする。この場合、携帯電話装置１０は、基地局（ａ）２０−１から、その基地局識別番号（ＣＳＩＤａ）を受信し、基地局（ａ）２０−１との間で無線通信（位置登録）を行う。このとき、携帯電話装置１０は、受信した基地局識別番号（ＣＳＩＤａ）をデータメモリ部１７に保存しておく。
【００６２】
なお、その他の基地局（ｂ）２０−２の基地局識別番号はＣＳＩＤｂ、基地局（ｃ）２０−３の基地局識別番号はＣＳＩＤｃとする。
【００６３】
次に携帯電話装置１０は、無線通信を行う基地局（ａ）２０−１の場所、すなわち自装置が存在する場所に対応した商用交流電源の周波数を判定する（ステップＳ１３）。電源周波数の判定は、次のようにして行う。
【００６４】
携帯電話装置１０は、位置情報サーバ５０向けに、基地局（ａ）２０−１を表す基地局識別番号（ＣＳＩＤａ）を挿入した周波数情報要求メッセージを作成する。携帯電話装置１０は、無線通信手段（送受信部１２）を使って、基地局（ａ）２０−１に接続し、あらかじめ登録されている位置情報サーバ５０のアドレス（番号）を宛先として、作成した周波数情報要求メッセージを送信（自動送信）する。基地局（ａ）２０−１は、基地局制御装置３０の制御の下、携帯電話装置１０から受信した周波数情報要求メッセージを、基地局制御装置３０、ネットワーク４０を通じて、位置情報サーバ５０に送信する。
【００６５】
位置情報サーバ５０は、周波数情報要求メッセージを受信すると、基地局識別番号（ＣＳＩＤａ）を抽出する。位置情報サーバ５０は、抽出した基地局識別番号（ＣＳＩＤａ）で周波数情報データベース５１を検索し、基地局（ａ）２０−１の場所データ及び商用電源周波数（５０Ｈｚ、あるいは６０Ｈｚ）を特定する。位置情報サーバ５０は、特定した周波数情報を、ネットワーク４０、基地局制御装置３０、基地局（ａ）２０−１を通じて、携帯電話装置１０へ返信する。
【００６６】
携帯電話装置１０は、受信した周波数情報をデータメモリ部１７に保存する。
【００６７】
この状態のとき、ユーザにより携帯電話装置１０のカメラ１４が起動されると（ステップＳ１４）、中央制御部１１は、データメモリ部１７に保存していた周波数情報をカメラ制御部１３へ通知する。カメラ制御部１３は、通知された商用電源周波数（５０Ｈｚ、あるいは６０Ｈｚ）に合わせて、カメラ１４の電荷蓄積時間を制御してフリッカ抑制動作を行う（ステップＳ１５）。カメラ１４は、ユーザの撮影（撮像）操作にしたがい、設定された電荷蓄積時間による撮影（撮像）を行う。
【００６８】
カメラ１４の起動後に、ユーザの移動に伴い携帯電話装置１０が移動すると、起動時に識別された周波数と異なる周波数の場所に移動する場合がある。このため、携帯電話装置１０は、自装置と通信している基地局（通信基地局）が変更されたかどうか監視する必要がある。通信基地局の変更は、携帯電話装置１０の移動に伴って、隣接する基地局のセル範囲内と通信基地局のセル範囲が重なり合う位置に移動した場合に行われる。このとき、携帯電話装置１０が、周辺セルのキャリアの受信レベルを測定し、通信中セルよりも一定以上の品質の高い周辺セルが存在する場合、ハンドオーバを行い品質の高い周辺セルの基地局と通信を行う。
【００６９】
そこで、携帯電話装置１０は、再度、通信基地局の基地局識別番号を取得し（ステップＳ１６）、前回の処理で取得しデータメモリ部１７に保存しておいた基地局識別番号と比較し、変更がないか判別する（ステップＳ１７）。変更があれば、携帯電話装置１０は、新たな基地局識別番号を、データメモリ部１７に上書き保存する。なお、前回の処理とは、１回目はステップＳ１２の処理のことであるが、２回目以降はステップＳ１６の処理のことである。
【００７０】
例えば図３において、基地局（ａ）２０−１のセル範囲内２２−１にある携帯電話装置１０が、基地局（ｂ）２０−２のセル範囲内２２−２に移動したとする。このとき、携帯電話装置１０は、通信品質が基地局（ａ）２０−１＜基地局（ｂ）２０−２になる場合に、基地局（ｂ）２０−２に対してハンドオーバを行う。基地局（ｂ）２０−２の基地局識別番号は、上述したように、ＣＳＩＤｂとする。
【００７１】
携帯電話装置１０は、ステップＳ１７の処理で、基地局識別番号が変更（ＣＳＩＤａからＣＳＩＤｂへの変更）されたことを検出すると、通信基地局が変更されたと認識する。通信基地局の変更を認識した携帯電話装置１０は、ステップＳ１３と同様の処理を行い、自装置が存在する場所に対応した商用交流電源の周波数を判定する（ステップＳ１８）。すなわち、携帯電話装置１０は、基地局識別番号としてＣＳＩＤｂを含む周波数情報要求メッセージを作成し、位置情報サーバ５０に問い合わせることにより、新たな通信基地局の場所に対応した周波数情報を得る。
【００７２】
携帯電話装置１０（その中央制御部１１）は続いて、ステップＳ１８の処理で得た周波数情報（商用電源周波数）と、前回の処理で取得しデータメモリ部１７に保存しておいた周波数情報とを比較し、変更がないか判別する。変更があれば、中央制御部１１は、新たな周波数情報を、データメモリ部１７に上書き保存するとともに、カメラ制御部１３へ通知する。カメラ制御部１３は、新たに通知された周波数情報（５０Ｈｚ、あるいは６０Ｈｚ）に合わせて、フリッカ抑制動作（カメラ１４の電荷蓄積時間制御）を切り替える（ステップＳ１９）。なお、前回の処理とは、１回目はステップＳ１５の処理のことであるが、２回目以降はステップＳ１９の処理のことである。
【００７３】
上述したステップＳ１６〜Ｓ１９の処理を、カメラ１４が停止するまで（ステップ２０）、繰り返す。このようにして、携帯電話装置１０にてカメラ１４が起動し、動作している間、フリッカ補正を自動で設定する。
【００７４】
以上説明したように本実施例によれば、最寄の基地局の識別番号を取得し、位置情報サーバに問い合わせて周波数情報を得ることにより、リアルタイムに商用交流電源周波数を判別し、フリッカを抑制することができる。本実施例では、カメラは、撮像素子をＣＣＤで構成したものとしたが、これに限定されることなく、ＣＭＯＳ等、フリッカ制御を必要とする他の撮像素子で構成したものでもよい。また、カメラを搭載した移動通信端末装置は、携帯電話装置としたが、これに限定されることなく、通信機能を有し、基地局の識別番号を取得可能な装置ならば他の装置でもよい。
【００７５】
次に本発明の他の実施例を説明する。
【実施例２】
【００７６】
図４は、本発明の移動通信端末装置の第２の実施例（実施例２）を示すブロック構成図である。
【００７７】
図４において、本例の移動通信端末装置（携帯電話装置１０）は、基本的な構成は図１（実施例１）に示す携帯電話装置１０と同じである。すなわち、実施例２の携帯電話装置１０も、中央制御部１１と、送受信部１２と、カメラ制御部１３と、カメラ１４と、画像処理部１５と、表示部１６と、データメモリ部１７と、計時部１８と、キー操作部１９とを備えて構成されている。携帯電話装置１０は、上記回路の他に、電源回路や、音声信号処理回路等の電話通信を行うために必要な回路を備えている。実施例２の携帯電話装置１０も、基地局２０，基地局制御装置３０，及びネットワーク４０を介して、位置情報サーバ５０と接続可能である。
【００７８】
実施例２の携帯電話装置１０が、実施例１のそれと異なる点は、データメモリ部１７に、周波数情報テーブル１７１を有している点である。
【００７９】
この周波数情報テーブル１７１は、各基地局２０の基地局識別番号（ＣＳＩＤ）と、基地局識別番号に対応する周波数情報とを、対応付けて登録したものである。周波数情報テーブル１７１への基地局識別番号及び周波数情報の登録、及び参照は、次のようにして行う。
【００８０】
実施例２の携帯電話装置１０の基本的な動作フローは、図２に示す実施例１の動作フローと同様である。ただし、次のステップの処理が異なる。
【００８１】
ステップＳ１３，Ｓ１８の処理において、携帯電話装置１０は、周波数情報要求メッセージを位置情報サーバ５０へ送信し、基地局識別番号に対応する周波数情報を得た時点で、これらの情報を周波数情報テーブル１７１に登録する。ただし、既に登録済みの基地局識別番号及び周波数情報は、登録しない。
【００８２】
このように、一度、位置情報サーバ５０に問い合わせたことのある基地局識別番号に対応する周波数情報を、周波数情報テーブル１７１に登録してあるため、同一の基地局識別番号なら、再度、周波数情報を問い合わせる必要がない。
【００８３】
すなわち、ステップＳ１３，Ｓ１８の処理において、携帯電話装置１０は、基地局２０から取得した基地局識別番号で周波数情報要求メッセージを作成する前に、当該基地局識別番号が周波数情報テーブル１７１に登録してあるか判定する。当該基地局識別番号が登録されていれば、対応する周波数情報を読み出すことにより、周波数情報要求メッセージを位置情報サーバ５０に送信することなく、必要な周波数情報を得ることができる。周波数情報を得た後の処理は、実施例１の場合と同様である。
【００８４】
本実施例によれば、携帯電話装置が、一度通ったことのある基地局のセル範囲内を移動する場合は、位置情報サーバとの通信を省略することができる。これにより、通信料金を節約できるだけでなく、通信トラフィック増やさずに済む。
【実施例３】
【００８５】
次に、実施例２の携帯電話装置１０を使用する場合の、位置情報サーバ５０の機能を向上させた第３の実施例（実施例３）を説明する。
【００８６】
位置情報サーバ５０の周波数情報データベース５１は、各基地局２０の基地局識別番号（ＣＳＩＤ）と、当該基地局識別番号の基地局の設置場所と、その場所における商用交流電源周波数との対応情報を、全基地局分登録して構成されている。
【００８７】
位置情報サーバ５０は、携帯電話装置１０からの周波数情報要求メッセージを受信した際、抽出した基地局識別番号で周波数情報データベース５１を検索し、当該基地局識別番号の基地局の設置場所を認識する。位置情報サーバ５０は続いて、当該基地局の設置場所の近隣に設置された基地局（複数）を認識し、当該基地局の周波数情報の他に、これら近隣の基地局の基地局識別番号及び周波数情報を読み出す。
【００８８】
位置情報サーバ５０は、周波数情報要求メッセージを送出した携帯電話装置１０に対し、送信された当該基地局識別番号の基地局の周波数情報の他に、その近隣の基地局の基地局識別番号及び周波数情報を返信する。
【００８９】
携帯電話装置１０は、位置情報サーバ５０から返信された当該基地局識別番号の基地局の周波数情報の他に、その近隣の基地局の基地局識別番号及び周波数情報をデータメモリ部１７の周波数情報テーブル１７１に登録する。ただし、既に登録済みの基地局識別番号及び周波数情報は、登録しない。
【００９０】
本実施例によれば、携帯電話装置が、一度通ったことのあるセル範囲内を移動する場合だけでなく、その近隣のセルを移動する場合にも、位置情報サーバとの通信を省略することができる。これにより、実施例２の場合以上に、通信料金を節約できるだけでなく、通信トラフィック増やさずに済む。
【図面の簡単な説明】
【００９１】
【図１】本発明の第１の実施例を示すシステム構成図である。
【図２】図１に示す実施例の動作を示すフロー図である。
【図３】図１に示す基地局の配置例を示す図である。
【図４】本発明のカメラ付き移動通信端末装置の他の実施例を示すブロック図である。
【図５】従来のカメラ付き移動通信端末装置の一例を示すブロック図である。
【符号の説明】
【００９２】
１０    携帯電話装置
１１    中央制御部
１２    送受信部
１３    カメラ制御部
１４    カメラ
１５    画像処理部
１６    表示部
１７    データメモリ部
２０    基地局
３０    基地局制御装置
４０    ネットワーク
５０    位置情報サーバ
５１    周波数情報データベース
１７１    周波数情報テーブル
【図１】
2006094370.tif 000003
【図２】
2006094370.tif 000004
【図３】
2006094370.tif 000005
【図４】
2006094370.tif 000006
【図５】
2006094370.tif 000007